(57)【要約】  表示画像のアスペクト比を変更するコンバータレンズを取り付けた際においても画像位置の調整を可能とする。投射レンズ部１０２は、表示装置本体１０１に取り付けられ、該表示装置本体１０１が形成した映像を投射する。コンバータレンズ部１０３は、表示装置本体１０１が形成した映像のアスペクト比を変更する際に表示装置本体１０１と投射レンズ部１０２との間に取り付けられる。表示装置本体１０１は、本体制御部１２２およびレンズシフト駆動部１２４からなり、投射レンズ部１０２が投射する映像を調整する第１の映像調整部を有する。コンバータレンズ部１０３は、制御部１３１は、およびレンズシフト駆動部１３３を有し、該コンバータレンズ部１０３が投射する映像を調整する第２の映像調整部を有する。第１の映像調整部は、前記第２のレンズ部が取り付けられた際に前記映像の調整を行わない。
2019003435.tif 000002
【特許請求の範囲】
【請求項１】
映像を投影する投射型映像表示装置であって、
外部から入力される映像信号に対して映像処理を行い、映像を形成する映像表示部と、
前記映像表示部に取り付けられ、前記映像表示部が形成した映像を投射する第１のレンズ部と、
前記映像表示部が形成した映像のアスペクト比を変更する際に前記映像表示部と前記第１のレンズ部との間に取り付けられる第２のレンズ部と、
を有し、
前記映像表示部は、前記第１のレンズ部が投射する前記映像を調整する第１の映像調整部を有し、
前記第２のレンズ部は、前記第２のレンズ部が投射する前記映像を調整する第２の映像調整部を有し、
前記第１の映像調整部は、前記第２のレンズ部が取り付けられた際に前記映像の調整を行わない、投射型映像表示装置。
【請求項２】
請求項１記載の投射型映像表示装置において、
前記第１の映像調整部は、
前記第１のレンズ部が投射する前記映像の位置を調整する第１の映像位置調整部と、
前記第１の映像位置調整部の動作を制御する第１の制御部と、
を有し、
前記第２の映像調整部は、
前記第２のレンズ部が投射する前記映像の位置を調整する第２の映像位置調整部と、
外部から入力される操作信号に基づいて、前記第２の映像位置調整部の動作を制御する第２の制御部と、
前記第２の映像位置調整部が前記映像の位置を調整する第１のモードであることを示す第１の情報を格納する格納部と、
を有し、
前記第１の制御部は、前記第２の制御部から前記第１の情報を受け取った際に前記第１の映像位置調整部の動作を停止させ、
前記第２の制御部は、前記第１のモードに移行した際に前記格納部から前記第１の情報を読み出し、読み出した前記第１の情報を前記第１の制御部に出力する、投射型映像表示装置。
【請求項３】
請求項１記載の投射型映像表示装置において、
前記映像表示部は、前記第１のレンズ部が投射する映像のフォーカスを調整する第１のフォーカス調整部を有し、
前記第１の映像調整部は、
前記第１のレンズ部が投射する前記映像の位置を調整する第１の映像位置調整部と、
外部から入力される操作信号に基づいて、前記第１の映像位置調整部の動作を制御する第１の制御部と、
を有し、
前記第２の映像調整部は、
前記第２のレンズ部が投射する前記映像の位置を調整する第２の映像位置調整部と、
外部から入力される操作信号に基づいて、前記第２の映像位置調整部の動作を制御する第２の制御部と、
前記第２の映像位置調整部によって前記映像の位置を調整する第１のモードであることを示す第１の情報と前記映像の位置調整以外の設定を行う第２のモードであることを示す第２の情報とを格納する格納部と、
を有し、
前記第１の制御部は、前記第２の制御部から前記第１の情報を受け取った際に前記第１の映像位置調整部の動作を停止させ、前記第２の制御部から前記第２の情報を受け取った際に前記操作信号に基づいて、前記第１のフォーカス調整部の動作を制御し、
前記第２の制御部は、前記第２のモードに移行した際に前記格納部から前記第２の情報を読み出し、読み出した前記第２の情報を前記第１の制御部に出力し、前記第２のレンズ部が取り付けられて前記第１のモードに移行した際に前記格納部から前記第１の情報を読み出し、読み出した前記第１の情報を前記第１の制御部に出力する、投射型映像表示装置。
【請求項４】
請求項３記載の投射型映像表示装置において、
前記第２の映像調整部は、前記第２のレンズ部が投射する映像のフォーカスを調整する第２のフォーカス調整部を有し、
前記第２の制御部は、前記格納部から前記第２の情報を読み出した際に外部から入力される操作信号に基づいて、前記第２のフォーカス調整部の動作を制御する、投射型映像表示装置。
【請求項５】
請求項３記載の投射型映像表示装置において、
前記第１のレンズ部は、前記第１のレンズ部が投射する映像の画面サイズを調整する第１の画面サイズ調整部を有し、
前記第１の制御部は、前記第２の制御部から前記第２の情報を受け取った際に外部から入力される操作信号に基づいて、前記第１の画面サイズ調整部の動作を制御する、投射型映像表示装置。
【請求項６】
請求項５記載の投射型映像表示装置において、
前記第２の映像調整部は、前記第２のレンズ部が投射する映像の画面サイズを調整する第２の画面サイズ調整部を有し、
前記第２の制御部は、前記格納部から前記第２の情報を読み出した際に外部から入力される操作信号に基づいて、前記第２の画面サイズ調整部の動作を制御する、投射型映像表示装置。
【請求項７】
請求項２記載の投射型映像表示装置において、
前記映像表示部は、動作用の電源電圧を生成する電源部を有し、
前記第１の制御部は、前記第１のモードにおいて外部から前記投射型映像表示装置の電源を遮断する操作信号が入力されると、前記電源部の動作を停止させて前記投射型映像表示装置の電源を遮断する制御を行う、投射型映像表示装置。
【発明の詳細な説明】
【技術分野】
【０００１】
本発明は、投射型映像表示装置に関し、特に、画像のアスペクト比を変更するレンズを取り付けた際の操作性の向上に有効な技術に関する。
【背景技術】
【０００２】
近年、スクリーンなどに映像を投射する投影型映像表示装置、すなわちプロジェクタなどでは、画像のアスペクト比を変更して表示する要求がある。例えば、縦長の画像などをより大きく表示する場合や投影する画像が途切れてしまう場合などである。【０００３】
横長のアスペクト比の画像を縦長のアスペクト比の画像に変更して表示する技術としては、例えばコンバータレンズを取り付けるものがある。このコンバータレンズは、プロジェクタ本体から投射された照明光を例えば９０°程度回転させて出射するレンズなどからなり、プロジェクタ本体と該プロジェクタ本体に取り付けられている本体レンズとの間に取り付けられる。
【発明の概要】
【発明が解決しようとする課題】
【０００４】
上述したプロジェクタ本体には、レンズシフト機構が設けられている。このレンズシフト機構は、投射レンズを光軸に直行する２軸方向、すなわち水平方向および垂直方向に移動させる機構である。これにより、スクリーン上に投射される映像表示位置を移動して調整することができる。【０００５】
また、コンバータレンズが取り付けられた際には、表示画像が９０°程度回転するためにプロジェクタ本体が有するレンズシフト機能による画像位置の調整は困難である。よって、コンバータレンズにも、画像位置を調整するためには同様にレンズシフト機構を設ける必要がある。この種のレンズシフト機能は、例えばユーザがプロジェクタに付属されるリモコンなどを操作することによって動作させることが広く行われている。【０００６】
しかしながら、プロジェクタ本体は、コンバータレンズが取り付けられたことを認識することができない。そのために、コンバータレンズが取り付けられた状態にて、ユーザがリモコンによって画像位置の調整を行う操作を行うと、プロジェクタ本体が有するレンズシフト機構およびコンバータレンズが有するレンズシフト機構の両方が稼働してしまい、画像調整ができなくなってしまったり、表示装置本体とコンバータレンズ部が別々に動作してしまい、ユーザの本意と異なった操作をしてしまうなどの問題がある。【０００７】
本発明の目的は、表示画像のアスペクト比を変更するコンバータレンズを取り付けた際においても画像位置の調整を可能とすることのできる技術を提供することにある。【０００８】
本発明の前記ならびにその他の目的と新規な特徴については、本明細書の記述および添付図面から明らかになるであろう。
【課題を解決するための手段】
【０００９】
本願において開示される発明のうち、代表的なものの概要を簡単に説明すれば、次のとおりである。【００１０】
すなわち、代表的な投射型映像表示装置は、映像表示部、第１のレンズ部、および第２のレンズ部を有する。映像表示部は、外部から入力される映像に対して映像処理を行い、映像を形成する。【００１１】
第１のレンズ部は、映像表示部に取り付けられ、該映像表示部が形成した映像を投射する。第２のレンズ部は、映像表示部が形成した映像のアスペクト比を変更する際に映像表示部と第１のレンズ部との間に取り付けられる。【００１２】
また、映像表示部は、第１のレンズ部が投射する映像を調整する第１の映像調整部を有する。第２のレンズ部は、該第２のレンズ部が投射する映像を調整する第２の映像調整部を有する。第１の映像調整部は、第２のレンズ部が取り付けられた際に映像の調整を行わない。
【発明の効果】
【００１３】
本願において開示される発明のうち、代表的なものによって得られる効果を簡単に説明すれば以下のとおりである。【００１４】
投射型映像表示装置における操作性を向上させることができる。
【図面の簡単な説明】
【００１５】
【図１】実施の形態１による投射型映像表示装置における概観の斜視図である。
【図２】図１の投射型映像表示装置によるコンバータレンズ部を取り付けた際の一例を示す概観の斜視図である。
【図３】図２の投射型映像表示装置における構成の一例を示すブロック図である。
【図４】図２の投射型映像表示装置における動作の一例を示すフローチャートである。
【図５】図４に続く投射型映像表示装置における動作の一例を示すフローチャートである。
【図６】図５に続く投射型映像表示装置における動作の一例を示すフローチャートである。
【図７】図６に続く投射型映像表示装置における動作の一例を示すフローチャートである。
【図８】実施の形態２によるコンバータレンズ部における構成の一例を示すブロック図である。
【発明を実施するための形態】
【００１６】
実施の形態を説明するための全図において、同一の部材には原則として同一の符号を付し、その繰り返しの説明は省略する。
【００１７】
(実施の形態１)
以下、実施の形態を詳細に説明する。
【００１８】
〈投射型映像表示装置の外観構成例１〉
図１は、本実施の形態１による投射型映像表示装置１００における概観の斜視図である。
【００１９】
投射型映像表示装置１００は、スクリーンなどに映像を投射する映像表示装置であり、表示装置本体１０１および投射レンズ部１０２などを有する。
【００２０】
映像表示部である表示装置本体１０１は、例えば直方体形状の筐体からなり、該筐体のある１つの側面である前面には、投射レンズ部１０２または後述するコンバータレンズ部１０３のいずれかを取り付けるマウント部１０１ａが設けられている。第１のレンズである投射レンズ部１０２の一端側は、表示装置本体１０１のマウント部１０１ａに嵌合する形状からなる。
【００２１】
投射レンズ部１０２は、該投射レンズ部１０２の一端が表示装置本体１０１に設けられたマウント部１０１ａに嵌合するように取り付けられる。この投射レンズ部１０２は、表示装置本体１０１から出射された映像を図示しないスクリーンなどに投射する。
【００２２】
また、投射型映像表示装置１００は、図２に示すコンバータレンズ部１０３を取りけることができる。第２のレンズ部であるコンバータレンズ部１０３は、表示装置本体１０１から投射された照明光を例えば９０°程度回転させて出射する。
【００２３】
これにより、例えば横長のアスペクト比の画像を縦長のアスペクト比の画像に変更して表示することが可能となり、特に、縦長の画像の表示をより大きく表示することなどができる。
【００２４】
このコンバータレンズ部１０３は、例えば投射型映像表示装置１００のオプション品として取り扱われる。あるいは投射型映像表示装置１００に予め付属される付属品であってもよい。
【００２５】
〈投射型映像表示装置の外観構成例２〉
図２は、図１の投射型映像表示装置１００によるコンバータレンズ部１０３を取り付けた際の一例を示す概観の斜視図である。
【００２６】
コンバータレンズ部１０３の一端側は、図２に示すように、表示装置本体１０１が有するマウント部１０１ａに嵌合する形状からなり、該コンバータレンズ部１０３の他端側は、投射レンズ部１０２を取り付けるマウント部１０３ａが形成されている。マウント部１０３ａは、投射レンズ部１０２の一端に嵌合する形状からなる。
【００２７】
コンバータレンズ部１０３の一端側は、表示装置本体１０１に設けられたマウント部１０１ａに嵌合するように取り付けられ、投射レンズ部１０２の一端は、該コンバータレンズ部１０３のマウント部１０３ａに嵌合するように取り付けられる。すなわち、コンバータレンズ部１０３は、表示装置本体１０１と投射レンズ部１０２との間に取り付けられる構成となる。
【００２８】
〈投射型映像表示装置の構成〉
図３は、図２の投射型映像表示装置１００における構成の一例を示すブロック図である。
【００２９】
表示装置本体１０１は、信号受信部１２０、本体電源部１２１、本体制御部１２２、光源駆動部１２３、レンズシフト駆動部１２４、表示素子１２５、照明光学系１２６、および光源部１２７を有する。
【００３０】
照明光学系１２６は、光源部１２７にて発生した照明光を集光し、より均一化して表示素子１２５に照射する光学系である。光源部１２７は、投射用の照明光を発生するものであり、例えば図示しない３つのＬＥＤ（Light Emitting Diode）を有する。３つのＬＥＤは、例えば赤色を発光する発光ダイオード、緑色を発光する発光ダイオード、および青色を発光する発光ダイオードである。
【００３１】
表示素子１２５は、投射する映像を生成する素子であり、例えばＤＭＤ（Digital Micromirror Device）（登録商標）パネルなどが用いられる。投射型映像表示装置１００が有する図示しない表示素子駆動部には、外部から映像信号が入力される。
【００３２】
表示素子駆動部は、入力される映像信号に応じて駆動信号を生成して出力する。表示素子１０２は、図示しない表示素子駆動部から出力される駆動信号に基づいて、投射する映像を生成する。
【００３３】
なお、表示素子１２５については、ＤＭＤパネルに限定されるものではなく、例えば透過型液晶パネルあるいは反射型液晶パネルなどであってもよい。
【００３４】
光源駆動部１２３は、第１の制御部である本体制御部１２２の制御信号に基づいて、光源部１２７の発光出力、点灯、あるいは消灯などを制御する。
【００３５】
電源部である本体電源部１２１は、外部電源からの電力の供給を受けて、投射型映像表示装置１００における動作用の電源電圧を生成する。電源部１２が生成する電源電圧は、表示装置本体１０１および投射レンズ部１０２の各機能ブロックに供給する。
【００３６】
第１の映像位置調整部であるレンズシフト駆動部１２４は、図示しないスクリーン上の映像表示位置を調整する機構である。このレンズシフト駆動部１２４は、本体制御部１２２から出力されるシフト制御信号に基づいて、投射レンズ部１０２の投射光学系１４０が有する投射レンズを光軸に対して直交する２方向、すなわち水平方向と垂直方向に移動させる。
【００３７】
また、本体制御部１２２は、コンバータレンズ部１０３が表示装置本体１０１に取り付けられると、レンズシフト駆動部１２４に対する投射レンズシフト制御信号を出力しないように制御する。これら本体制御部１２２およびレンズシフト駆動部１２４により、第１の映像調整部が構成される。
【００３８】
信号受信部１２０は、投射型映像表示装置１００に付属される図示しないリモコンからの操作信号を受信する受信部である。信号受信部１２０が受信した操作信号は、本体制御部１２２に出力される。
【００３９】
リモコンからは、上述した光源部１２７の発光出力の調整、光源部１２７の点灯／消灯やスクリーン上の映像表示位置を調整する信号などの様々な操作信号が出力される。本体制御部１２２は、投射型映像表示装置１００における全体の制御を司ると共に、リモコンから送信された操作信号に基づいて、上述した制御信号や投射レンズシフト制御信号などを生成して出力する。
【００４０】
コンバータレンズ部１０３は、信号受信部１３０、制御部１３１、レンズＩＤ切り替え部１３２、シフトレンズ駆動部１３３、光学系１３４、および電源部１３５を有する。
【００４１】
信号受信部１３０は、上述した信号受信部１２０と同様に、リモコンからの操作信号を受信する。第２の制御部である制御部１３１は、信号受信部１３０から受け取った操作信号に基づいて、コンバータレンズシフト制御信号を生成してレンズシフト駆動部１３３を制御する。制御部１３１およびレンズシフト駆動部１３３により、第２の映像調整部が構成される。
【００４２】
この図３では、コンバータレンズ部１０３にも信号受信部１３０を有する構成としたが、この信号受信部１３０は省略することもできる。その場合、表示装置本体１０１の信号受信部１２０が受信した操作信号が本体制御部１２２だけでなく、コンバータレンズ部１０３の制御部１３１にも送信されるようにすればよい。
【００４３】
格納部であるレンズＩＤ切り替え部１３２は、メニュー操作用ＩＤおよびレンズシフト用ＩＤを格納する。第２の情報であるメニュー操作用ＩＤは、メニュー操作モードを示す情報である。第２のモードであるメニュー操作モードは、例えばリモコンなどによって操作メニューの指示を受け付けるモードである。
【００４４】
操作メニューモードでは、例えば音量調整、入力チャンネル設定、表示画面のオン／オフ、画像のフォーカス調整、あるいは画像の明るさ調整などの投射型映像表示装置１００に関する詳細な設定や調整などが行われる。上述したように、操作メニューは、リモコンなどによって操作が行われる。
【００４５】
第１の情報となるレンズシフト用ＩＤは、レンズシフト動作モードを示す情報である。第１のモードであるレンズシフト動作モードは、コンバータレンズ部１０３のレンズシフト駆動部１３３によってスクリーン上の映像表示位置を調整するモードである。この場合も、リモコンの操作により映像表示位置の調整が行われる。
【００４６】
制御部１３１は、信号受信部１３０がリモコンから受信した操作信号に基づいて、レンズＩＤ切り替え部１３２からメニュー操作用ＩＤまたはレンズシフト用ＩＤを取り出し、メニュー操作用ＩＤまたはレンズシフト用ＩＤのいずれであるかを認識する。また、制御部１３１は、メニュー操作用ＩＤを表示装置本体１０１の本体制御部１２２に送信する。
【００４７】
本体制御部１２２は、受け取ったメニュー操作用ＩＤを認識することによって、操作メニューモードによる動作を実行する。例えば操作メニューモードでは、リモコンによって投射型映像表示装置１００に関する詳細な設定や調整などが行われる。レンズシフト動作モードでは、リモコンによりスクリーン上の映像表示位置が調整される。
【００４８】
第２の映像位置調整部であるレンズシフト駆動部１３３は、レンズシフト駆動部１２４と同様に、図示しないスクリーン上の映像表示位置を調整する機構であり、制御部１３１から出力されるコンバータレンズシフト制御信号に基づいて、光学系１３４が有する投射レンズを光軸に対して直交する２方向、すなわち水平方向と垂直方向に移動させる。
【００４９】
光学系１３４は、表示装置本体１０１から投射された照明光を例えば９０°程度回転させて出射する光学系であり、例えば投射レンズやミラーなどを有する。電源部１３５は、外部電源からの電力の供給を受けて動作用の電源電圧を生成して、コンバータレンズ１０３の各機能ブロックに供給する。
【００５０】
なお、コンバータレンズ部１０３の各機能ブロックに供給する動作用の電源電圧は、例えば本体電源部１２１が生成した電源電圧を供給する構成としてもよい。その場合、電源部１３５は、不要となる。
【００５１】
投射レンズ部１０２は、投射光学系１４０、フォーカス調整機構駆動部１４１、画面サイズ調整機構駆動部１４２、および投射レンズＩＤ部１４３を有する。
【００５２】
投射光学系１４０は、映像を図示しないスクリーンに投射する光学系であり、例えば投射レンズなどを有する。第１のフォーカス調整部であるフォーカス調整機構駆動部１４１は、本体制御部１２２の制御信号に基づいて、投射光学系１４０に設けられる図示しないフォーカスモータを駆動する。画面サイズ調整機構駆動部１４２は、本体制御部１２２の制御信号に基づいて、投射光学系１４０に設けられる図示しないズームモータを駆動する。
【００５３】
フォーカスモータおよびズームモータは、投射光学系１４０が有する投射レンズを駆動して図示しないスクリーン上の映像のピント合わせや画面サイズなどをそれぞれ調整する。
【００５４】
投射レンズＩＤ部１４３は、投射レンズ部１０２の仕様毎に割り付けられる固有の情報である投射レンズＩＤを格納する。表示装置本体１０１の本体制御部１２２は、投射レンズＩＤ部１４３に格納される投射レンズＩＤから取り付けられた投射レンズ部１０２の仕様を認識して該投射レンズ部１０２に見合ったズームやフォーカスなどの調整を行う。
【００５５】
〈投射型映像表示装置の動作例〉
続いて、投射型映像表示装置１００の動作について説明する。
【００５６】
図４は、図２の投射型映像表示装置１００における動作の一例を示すフローチャートである。この図３は、表示装置本体１０１に投射レンズ部１０２およびコンバータレンズ部１０３を取り付けてからメニュー操作用ＩＤまたはレンズシフト用ＩＤが設定されるまで処理の一例を示したものである。
【００５７】
まず、ユーザは、表示装置本体１０１に投射レンズ部１０２およびコンバータレンズ部１０３を取り付ける（ステップＳ１０１）。ここでは、投射型映像表示装置１００の電源投入時には、メニュー操作用ＩＤが選択されるものとする。
【００５８】
投射型映像表示装置１００の電源が投入され、コンバータレンズ部１０３の電源部１３５から電源電圧が制御部１３１などに供給されると、該制御部１３１は、レンズＩＤ切り替え部１３２からメニュー操作用ＩＤを読み出し、制御部１３１に該メニュー操作用ＩＤを出力する（ステップＳ１０２）。
【００５９】
続いて、ユーザは、操作メニューモードまたはレンズシフト動作モードを選択する処理を行う（ステップＳ１０３）。上述したように、操作メニューモードは、操作メニューを用いた投射型映像表示装置１００の調整を実行するモードである。レンズシフト動作モードは、コンバータレンズ部１０３を取り付けた際に、該コンバータレンズ部１０３のレンズシフト駆動部１３３によるスクリーン上の映像表示位置の調整を実行するモードである。
【００６０】
ステップＳ１０３の処理において、ユーザが操作メニューモードを選択する場合、制御部１３１は、レンズＩＤ切り替え部１３２から読み出したメニュー操作用ＩＤを表示装置本体１０１の本体制御部１２２に出力する（ステップＳ１１３）。これにより、表示装置本体１０１の本体制御部１２２は、メニュー操作用ＩＤを認識する（ステップＳ１１４）。
【００６１】
ここで、ステップＳ１１３の処理は、ユーザがリモコンなどによって操作ボタンを選択することによって行ってもよいし、あるいは、後述するレンズシフト動作モードを選択する操作を行わなかった際に行うようにしてもよい。
【００６２】
ステップＳ１０３の処理において、ユーザがレンズシフト動作モードを選択した場合、ユーザは、操作メニューモードからレンズシフト動作モードに切り替える操作を行う（ステップＳ１０４）。ここでは、例えばユーザがリモコンの操作ボタンなどを操作することによって、レンズシフト動作モードを選択する。
【００６３】
リモコンの操作ボタンなどによってレンズシフト動作モードが選択されると、リモコンから送信された該操作信号が、表示装置本体１０１の信号受信部１２０およびコンバータレンズ部１０３の信号受信部１３０によってそれぞれ受信される（ステップＳ１０５，Ｓ１０６）。
【００６４】
表示装置本体１０１において、信号受信部１２０が受信した操作信号は、本体制御部１２２に出力される（ステップＳ１０７）。この信号受信部１２０が受信した操作信号は、レンズシフト動作モードに切り替える信号であるので、コンバータレンズ部１０３が対応する操作信号となる。よって、表示装置本体１０１の本体制御部１２２は、信号受信部１２０が受信した信号を処理しない（ステップＳ１０８）。
【００６５】
また、コンバータレンズ部１０３において、信号受信部１３０が受信した操作信号は、制御部１３１に出力される（ステップＳ１０９）。制御部１３１は、信号受信部１３０が受信したレンズシフト動作モードに切り替える操作信号が入力されると、レンズＩＤ切り替え部１３２からレンズシフト用ＩＤを読み出す（ステップＳ１１０）。
【００６６】
制御部１３１は、レンズＩＤ切り替え部１３２から読み出したレンズシフト用ＩＤを表示装置本体１０１の本体制御部１２２に出力する（ステップＳ１１１）。レンズシフト用ＩＤを受け取った表示装置本体１０１の本体制御部１２２は、該レンズシフト用ＩＤを認識する（ステップＳ１１２）。これによって、メニュー操作モードからレンズシフト動作モードに移行する。
【００６７】
以上によって、メニュー操作用ＩＤおよびレンズシフト用ＩＤの認識処理が終了となり、投射型映像表示装置１００は、メニュー操作モードまたはレンズシフト動作モードのいずれかのモードになる。
【００６８】
図５は、図４に続く投射型映像表示装置１００における動作の一例を示すフローチャートである。
【００６９】
この図５では、図４のフローチャートのステップＳ１１２の処理にて表示装置本体１０１の本体制御部１２２にレンズシフト用ＩＤが認識され、コンバータレンズ部１０３によるレンズシフト動作モードに移行した際の処理を示したものである。
【００７０】
レンズシフト動作モードの移行した場合、本体制御部１２２は、信号受信部１２０を通じて入力された操作信号を受け付けない状態となるが、以下に説明するように、唯一投射型映像表示装置１００の電源をオフする操作信号のみは受け付ける状態となっている。
【００７１】
まず、レンズシフト動作モードによるスクリーン上の映像表示位置の調整は、例えばユーザがリモコンなどによって操作することによって行われる（ステップＳ２０１）。リモコンから送信された操作信号は、表示装置本体１０１の信号受信部１２０およびコンバータレンズ部１０３の信号受信部１３０によってそれぞれ受信される（ステップＳ２０２，Ｓ２０３）。
【００７２】
表示装置本体１０１において、信号受信部１２０は、受信した操作信号を本体制御部１２２に出力する（ステップＳ２０４）。本体制御部１２２は、入力された操作信号が投射型映像表示装置１００の電源をオフする操作信号であるか否かを判定する（ステップＳ２０５）。
【００７３】
ステップＳ２０５の処理において、操作信号が電源をオフする操作信号である場合、レンズシフト用ＩＤを認識した状態の本体制御部１２２は、本体電源部１２１の動作を停止させて（ステップＳ２０６）、投射型映像表示装置１００を停止させる。
【００７４】
また、操作信号が電源をオフする操作信号でない場合、本体制御部１２２は、レンズシフト用ＩＤを認識しているので該操作信号の処理を実行せずに（ステップＳ２０７）、待機状態とする。本体制御部１２２は、メニュー操作用ＩＤを認識していない場合、投射型映像表示装置１００の電源をオフする操作信号以外を受け付けない。
【００７５】
また、ステップＳ２０３の処理が終了すると、表示装置本体１０１において、信号受信部１３０は、受信した操作信号を制御部１３１に出力する（ステップＳ２０８）。制御部１３１は、入力された操作信号がコンバータレンズ部１０３によるレンズシフト動作モードの動作指示であるか否かを判定する（ステップＳ２０９）。
【００７６】
レンズシフト動作モードの指示の場合、制御部１３１は、リモコンから送信されるスクリーン上の映像表示位置を調整する操作信号からコンバータレンズシフト制御信号を生成してレンズシフト駆動部１３３の動作を制御する（ステップＳ２１０）。
【００７７】
レンズシフト駆動部１３３は、制御部１３１から出力されるコンバータレンズシフト制御信号に基づいて、光学系１３４が有する投射レンズを光軸に対して直交する２方向、すなわち水平方向と垂直方向に移動させることにより、映像表示位置を調整する（ステップＳ２１１）。
【００７８】
ステップＳ２０９の処理において、操作信号がレンズシフト動作モードの動作指示でない場合、制御部１３１は、該操作信号の処理を実行せずに（ステップＳ２１２）、待機状態とする。制御部１３１がレンズシフト用ＩＤを認識している際には、レンズシフト動作モードの操作信号以外の受け付けはされない。
【００７９】
以上により、コンバータレンズ部によるレンズシフト動作モードの処理が終了となる。
【００８０】
このように、コンバータレンズ部１０３を取り付けて、リモコンなどによって映像の表示位置を調整する場合、コンバータレンズ部１０３のレンズシフト駆動部１３３は、リモコンからの操作信号に基づいて動作するが、表示装置本体１０１のレンズシフト駆動部１２４の動作は、停止した状態とすることができる。
【００８１】
これにより、コンバータレンズ部１０３のレンズシフト駆動部１３３と表示装置本体１０１のレンズシフト駆動部１２４とが同時に動作することがなくなり、映像位置の調整を容易に行うことができる。
【００８２】
図６は、図５に続く投射型映像表示装置１００における動作の一例を示すフローチャートである。
【００８３】
この図６では、図５に示すレンズシフト動作モードの処理が終了した後、再びメニュー操作モードの処理に切り替える処理の一例を示したものである。すなわち、レンズシフト動作モードからメニュー操作モードに切り替わるまでの処理を示している。
【００８４】
まず、コンバータレンズ部１０３の制御部１３１は、レンズシフト動作モードによるリモコンなどによる最終操作から予め設定された切り替え設定時間を経過しているか否かを判定する（ステップＳ３０１）。この切り替え設定時間は、レンズシフト動作モードにおける操作がない場合に自動的にメニュー操作モードに切り替わるまでの時間である。
【００８５】
切り替え設定時間を経過している場合、制御部１３１は、レンズＩＤ切り替え部１３２からメニュー操作用ＩＤを読み出す（ステップＳ３０２）。そして、制御部１３１は、読み出したメニュー操作用ＩＤを表示装置本体１０１の本体制御部１２２に出力する（ステップＳ３０３）。
【００８６】
表示装置本体１０１の本体制御部１２２は、メニュー操作用ＩＤを認識する（ステップＳ３０４）。これにより、メニュー操作モードの処理が実行可能な状態となる。
【００８７】
また、ステップＳ３０１の処理において、切り替え設定時間が経過していない場合に、ユーザがレンズシフト動作モードからメニュー操作モードに移行する処理を行ったとする（ステップＳ３０５）。
【００８８】
この移行の処理は、例えばリモコンなどの操作ボタンなどを操作することにより、レンズシフト動作モードとメニュー操作モードとを選択することができる。あるいはメニュー操作モードに移行せずに直接リモコンからメニュー操作を行う場合、例えばフォーカス調整操作など特定の操作でも以下の処理が実行されるように設定をしてもよい。
【００８９】
リモコンから送信された操作信号、すなわちレンズシフト動作モードからメニュー操作モードに移行する操作信号あるいはリモコンからのメニュー操作信号は、表示装置本体１０１の信号受信部１２０およびコンバータレンズ部１０３の信号受信部１３０によってそれぞれ受信される（ステップＳ３０６，Ｓ３０７）。
【００９０】
表示装置本体１０１において、信号受信部１２０は、受信した操作信号を本体制御部１２２に出力する（ステップＳ３０８）。この信号受信部１２０が受信した操作信号は、レンズシフト動作モードからメニュー操作モードに切り替える操作信号である。よって、コンバータレンズ部１０３に対応する信号であるので、本体制御部１２２は、信号受信部１２０が受信した操作信号を処理せずに終了となる（ステップＳ３０９）。
【００９１】
また、ステップＳ３０７の処理が終了すると、信号受信部１３０が受信した操作信号は、制御部１３１に出力される（ステップＳ３１０）。この操作信号を受けて、制御部１３１は、レンズＩＤ切り替え部１３２からメニュー操作用ＩＤを読み出す（ステップＳ３１１）。
【００９２】
制御部１３１は、読み出したメニュー操作用ＩＤを表示装置本体１０１の本体制御部１２２に出力する（ステップＳ３１２）。表示装置本体１０１の本体制御部１２２は、入力されたメニュー操作用ＩＤを認識する（ステップＳ１１２）。これによって、レンズシフト動作モードからメニュー操作モードに切り替えが行われる。
【００９３】
以上によって、メニュー操作用ＩＤの認識処理が終了となる。
【００９４】
図７は、図６に続く投射型映像表示装置１００における動作の一例を示すフローチャートである。
【００９５】
この図７では、図６に示したレンズシフト動作モードからメニュー操作モードに移行した後、メニュー操作モードによる処理の一例を示したものである。
【００９６】
まず、リモコンから操作信号が送信されると（ステップＳ４０１）、該操作信号が表示装置本体１０１の信号受信部１２０およびコンバータレンズ部１０３の信号受信部１３０にそれぞれ受信される（ステップＳ４０２，Ｓ４０３）。
【００９７】
表示装置本体１０１において、信号受信部１２０が受信した操作信号は、本体制御部１２２に出力される（ステップＳ４０４）。本体制御部１２２は、受信した操作信号がレンズシフト動作モードによるスクリーン上の映像表示位置を調整する指示の操作信号であるか否かを判定する（ステップＳ４０５）。
【００９８】
ここでは、メニュー操作モードに移行しているので、スクリーン上の映像表示位置を調整する指示の操作信号であると判定した場合、本体制御部１２２は、操作信号を処理しない（ステップＳ４０６）。よって、表示装置本体１０１のレンズシフト駆動部１２４は、動作せず、投射レンズ部１０２による映像表示位置の調整は行われずに（ステップＳ４０７）終了となる。
【００９９】
スクリーン上の映像表示位置を調整する指示の操作信号でないと判定した場合、すなわちメニュー操作モードを指示する操作信号の場合、本体制御部１２２は、入力された操作信号を処理する（ステップＳ４０８）。
【０１００】
本体制御部１２２は、入力された操作信号に基づいて、操作メニューを例えばＯＳＤ（On-Screen Display）などによって表示し、スクリーン上に表示された音量、明るさ、あるいはコントラストなどの調整が実行される（ステップＳ４０９）。
【０１０１】
また、コンバータレンズ部１０３において、ステップＳ４０３の処理にて受信した操作信号は、制御部１３１に出力される（ステップＳ４１０）。ここでも、制御部１３１は、メニュー操作モードに移行しているので、入力されたすべての操作信号の処理を実行せずに（ステップＳ４１１）待機状態となる。
【０１０２】
このように、コンバータレンズ部１０３を取り付けた状態であっても、メニュー操作モードに移行した際には、投射レンズ部１０２の画面サイズ調整機構駆動部１４２やフォーカス調整機構駆動部１４１などによって、画像のピント調整やフォーカス調整などを容易に行うことができる。
【０１０３】
以上により、投射型映像表示装置１００の操作性を向上させることができる。それにより、投射型映像表示装置１００の利便性を向上させることができる。
【０１０４】
(実施の形態２)
〈コンバータレンズ部の構成例および動作例〉
本実施の形態２においては、コンバータレンズ部１０３の他の構成例について説明する。
【０１０５】
図８は、本実施の形態２によるコンバータレンズ部１０３における構成の一例を示すブロック図である。
【０１０６】
図８のコンバータレンズ部１０３が、前記実施の形態１の図３のコンバータレンズ部１０３と異なるところは、フォーカス調整機構駆動部１３６および画面サイズ調整機構駆動部１３７が新たに設けられた点である。なお、投射型映像表示装置１００における表示装置本体１０１および投射レンズ部１０２の構成については、前記実施の形態１の図３と同様であるので、説明は省略する。
【０１０７】
第２のフォーカス調整部であるフォーカス調整機構駆動部１３６は、制御部１３１から出力される制御信号に基づいて、光学系１３４に設けられる図示しないフォーカスモータを駆動する。画面サイズ調整機構駆動部１３７は、制御部１３１の制御信号に基づいて、光学系１３４に設けられる図示しないズームモータを駆動する。
【０１０８】
前記実施の形態１では、コンバータレンズ部１０３が取り付けられた際にも、図３に示す投射レンズ部１０２が有するフォーカス調整機構駆動部１４１および画面サイズ調整機構駆動部１４２によって、フォーカスモータやズームモータなどを駆動させ、ピント合わせや画面サイズの調整などを行うことができる構成とした。
【０１０９】
図８に示すように、コンバータレンズ部１０３にフォーカス調整機構駆動部１３６および画面サイズ調整機構駆動部１３７を設けたことにより、該コンバータレンズ部１０３においてピント合わせや画面サイズの調整などを行うことができる。
【０１１０】
図８のコンバータレンズ部１０３を取り付けた際には、リモコンからの操作信号によって投射レンズ部１０２が有するフォーカス調整機構駆動部１４１および画面サイズ調整機構駆動部１４２とコンバータレンズ部１０３にフォーカス調整機構駆動部１３６および画面サイズ調整機構駆動部１３７とがいずれも動作すると、フォーカス調整や画像サイズ調整などが困難となる。
【０１１１】
よって、図８のコンバータレンズ部１０３を取り付けた際、図３に示す投射レンズ部１０２が有するフォーカス調整機構駆動部１４１および画面サイズ調整機構駆動部１４２は、いずれも動作させないもとする。
【０１１２】
例えば前記実施の形態１の図４のステップＳ１１４の処理にてメニュー操作用ＩＤが送信されて本体制御部１２２がメニュー操作用ＩＤを認識した際、本体制御部１２２は、メニュー操作モードにおいてピント合わせや画面サイズの調整などの操作信号が入力されても、該操作信号を処理せずにフォーカス調整機構駆動部１４１および画面サイズ調整機構駆動部１４２を動作させない。
【０１１３】
また、図８のコンバータレンズ部１０３の制御部１３１は、図４のステップＳ１１３の処理にてレンズＩＤ切り替え部１３２からメニュー操作用ＩＤを読み出した際に、メニュー操作モードであることを認識する。
【０１１４】
そして、ピント合わせや画面サイズの調整などの操作信号を信号受信部１３０が受信すると、コンバータレンズ部１０３の制御部１３１は、該操作信号に基づいて、フォーカス調整機構駆動部１３６および画面サイズ調整機構駆動部１３７の制御を行い、ピント合わせや画面サイズの調整を行う。
【０１１５】
このように、コンバータレンズ部１０３にフォーカス調整機構駆動部１３６および画面サイズ調整機構駆動部１３７を設けることにより、フォーカス調整機構駆動部１４１および画面サイズ調整機構駆動部１４２を有しない投射レンズ部１０２が取り付けられていてもピント合わせや画面サイズの調整などを行うことができる。
【０１１６】
なお、図８では、コンバータレンズ部１０３がフォーカス調整機構駆動部１３６および画面サイズ調整機構駆動部１３７を有する構成としたが、フォーカス調整機構駆動部１３６または画面サイズ調整機構駆動部１３７のいずれか一方のみを有する構成としてもよい。
【０１１７】
例えばコンバータレンズ部１０３がフォーカス調整機構駆動部１３６のみを有する場合、画面サイズの調整には、投射レンズ部１０２が有する画面サイズ調整機構駆動部１４２によって行われる。
【０１１８】
図４のステップＳ１１４の処理にて本体制御部１２２がメニュー操作用ＩＤを認識すると、該本体制御部１２２は、メニュー操作モードにおいてフォーカス調整機構駆動部１４１を動作させず、画面サイズ調整機構駆動部１４２を動作させる制御を行う。
【０１１９】
また、コンバータレンズ部１０３の制御部１３１は、図４のステップＳ１１３の処理にてレンズＩＤ切り替え部１３２からメニュー操作用ＩＤを読み出した際に、メニュー操作モードであることを認識し、操作信号に基づいてフォーカス調整機構駆動部１３６を動作させる制御を行う。
【０１２０】
上述したフォーカス調整機構駆動部１３６，１４１がそれぞれ設けられる際の動作制御については、表示装置本体１０１およびコンバータレンズ部１０３にレンズシフト駆動部１２４，１３３が設けられていない場合についても適用することができる。
【０１２１】
これによっても、投射型映像表示装置１００の操作性を向上させることができる。
【０１２２】
以上、本発明者によってなされた発明を実施の形態に基づき具体的に説明したが、本発明は前記実施の形態に限定されるものではなく、その要旨を逸脱しない範囲で種々変更可能であることはいうまでもない。
【０１２３】
なお、本発明は上記した実施の形態に限定されるものではなく、様々な変形例が含まれる。例えば、上記した実施の形態は本発明を分かりやすく説明するために詳細に説明したものであり、必ずしも説明した全ての構成を備えるものに限定されるものではない。
【０１２４】
また、ある実施の形態の構成の一部を他の実施の形態の構成に置き換えることが可能であり、また、ある実施の形態の構成に他の実施の形態の構成を加えることも可能である。また、各実施の形態の構成の一部について、他の構成の追加、削除、置換をすることが可能である。
【符号の説明】
【０１２５】
１００  投射型映像表示装置
１０１  表示装置本体
１０１ａ  マウント部
１０２   投射レンズ部
１０３  コンバータレンズ部
１０３ａ  マウント部
１２０  信号受信部
１２１  本体電源部
１２２  本体制御部
１２３  光源駆動部
１２４  レンズシフト駆動部
１２５  表示素子
１２６  照明光学系
１２７  光源部
１３０  信号受信部
１３１  制御部
１３２  レンズＩＤ切り替え部
１３３  レンズシフト駆動部
１３４   光学系
１３５  電源部
１３６  フォーカス調整機構駆動部
１３７  画面サイズ調整機構駆動部
１４０  投射光学系
１４１  フォーカス調整機構駆動部
１４２  画面サイズ調整機構駆動部
【図１】
2019003435.tif 000003
【図２】
2019003435.tif 000004
【図３】
2019003435.tif 000005
【図４】
2019003435.tif 000006
【図５】
2019003435.tif 000007
【図６】
2019003435.tif 000008
【図７】
2019003435.tif 000009
【図８】
2019003435.tif 000010
【国際調査報告】
2019003435.tif 000011
2019003435.tif 000012
2019003435.tif 000013
2019003435.tif 000014